(57)【要約】      （修正有）【課題】従来のウェルカムボード・遺影写真にあっては、メッセージや写真、故人の写真が単に、紙や板材に表示・印刷されていたにすぎないため、目立ちにくく、暗いところでは全くと言っていい程、視認出来ないため、不都合を有した。また、ウェルカムボードにあっては結婚式が終了すると使い道が無かった。この考案の課題はかかる不都合を解消することである。【解決手段】光源であるエレクトロルミネッセンスシート６表面に歓迎用メッセージと写真、イラストをカラープリンタにて印刷にした透光性シート５を合わせて、絵画用額縁１内に張設した事を特徴とするウェルカムボード。【選択図】図２
0003131168.tif 000002
【実用新案登録請求の範囲】
【請求項１】
一般市場で販売している絵画用「油絵額・水彩画額」及び「写真用額」を使用し、光源であるエレクトロルミネッセンスシート（ＥＬシート）を額縁内に張設する。このＥＬシートの表面にＯＨＰ透明フィルム、トレーシングペーパー又はコピー用紙、印刷用の紙に家庭用、業務用カラープリンタから文字・写真・絵・イラスト、画像を出力した物を取り替え可能に設置し、ＥＬシートを点滅・連続発光させたことを特徴とする結婚式用ウェルカムボード。
【請求項２】
請求項１のウェルカムボードにおいて、絵画用「油絵額・水彩画額」及び「写真用額」額縁内には絵を入れる部分に緩衝材の発泡スチロール板が入っており、これを取り除く、又は発泡スチロール板の厚さを変え請求項１のＥＬシートと、請求項１の文字・写真・絵・イラスト・画像を出力したものを取り替え可能に設置したウェルカムボード。
【請求項３】
請求項２のウェルカムボードにおいては、絵画用「油絵額・水彩画額」及び「写真用額」内に、ＥＬシート表面にＯＨＰ透明フィルム、トレーシングペーパー又はコピー用紙・印刷用の紙に家庭用、業務用カラープリンタから文字・写真・絵・イラスト、画像を出力した物を貼り付け、結婚式後も印刷物を取り替えることによって家庭内でも利用できることを特徴とするウェルカムボード。
【請求項４】
遺影写真、故人の写真にＥＬシートをバックライトとして使用する。写真は引き伸ばしし、遺影写真用額縁の中にＥＬシートと合わせて入れ、ＥＬを連続発光・点滅させる事を特徴とする。
【考案の詳細な説明】
【技術分野】
【０００１】  この考案はウェルカムボードに関し、式場の入り口や、その会場内、又は家庭内に設置され、結婚式に参列する人、自宅へ来る人を歓迎する及び本人が使用することが目的である。【０００２】  また葬儀の祭壇や家庭内に設置され、故人の写真を飾る物である。
【背景技術】
【０００３】  従来におけるこの種のウェルカムボードは、紙や板材にメッセージや写真を表示したものであり、式場の入口に掲示し、来客を歓迎したり、案内したりしていた。また遺影写真も従来の物は写真を引き伸ばししただけの物であり葬儀場や家庭内で飾っていた。
【考案の開示】
【考案が解決しようとする課題】
【０００４】
【実用新案文献１】
実用新案登録第３１００９６２号
【０００５】  しかしながら、従来のウェルカムボード・遺影写真にあっては、メッセージや写真、故人の写真が、単に紙や板材に表示・印刷されていたにすぎないため、目立ちにくく、暗いところでは視認出来ず、不都合を有した。又、蛍光灯を光源とした物は、専用の枠が必要であり厚みと重量があり壁面に吊すには不向きである。
この考案の課題はかかる不都合を解消することである。
【０００６】  また、ウェルカムボードにあっては結婚式が終了すると使い道が無かった。
この考案の課題はこれも解消することである。
【課題を解決するための手段】
【０００７】  上記課題を解消するために、この考案に係るウェルカムボード・遺影写真においては、市販の絵画用「油絵額・水彩画額」、「写真用額」内に光源であるＥＬシートを設置するとともにそのＥＬシート表面にＯＨＰ透明フィルム、トレーシングペーパー又はコピー用紙、印刷用の紙に家庭用、業務用カラープリンタから文字・写真・絵・イラスト・画像、故人の写真を出力した物を張設し、取り替え可能に設置し、発光・点滅させ文字・写真・絵・イラスト・画像、故人の写真を明るく光らせて目立たせ、目視確認を容易にする物にした。
【０００８】  またウェルカムボードは中の印刷物を取り替え可能に設置することにより、家庭にて結婚式で使った物とは違う印刷物をＥＬシートの表面に設置することにより、家庭内でも永く使うことの出来る物とした。
【考案の効果】
【０００９】  この考案に係る結婚式用ウェルカムボード・遺影写真は、市販の絵画用額縁、又は写真用額縁内に光源（ＥＬシート）を設置するとともにそのＥＬシート表面にＯＨＰ透明フィルム、トレーシングペーパー又はコピー用紙印刷用の紙に家庭用、業務用カラープリンタから歓迎表示の文字・写真・絵・イラスト・画像、故人の写真を出力した物を張設し、裏側からＥＬにより光が照射される結果、印刷物の内容は際だって明るく見え、目立つものである。
【００１０】  よって、このウェルカムボードを使用すれば、結婚式に参列する人に対して目視確認が容易で、結婚する二人の気持ちが伝わりやすく、他とは違った歓迎の形がとれるものである。
【００１１】  また、この遺影写真を使用すれば、故人の遺影を目視確認するのが容易で、遺族の思いも伝わりやすいものである。
【００１２】  更に、この考案を用いれば薄暗い室内においても来客に明確に認識させることが出来る物である。ＥＬシートを光源に使うことにより、額の加工が不要になる事も特徴である。
【考案を実施するための最良の形態】
【００１３】  図１はこの考案にかかる結婚式用ウェルカムボード・葬儀用遺影写真の正面から見た図、図２は斜視図、図３は図１におけるＩＩ−ＩＩ線断面図、図４は図１におけるＩＩＩ−ＩＩＩ線断面図、図５は壁に掛けて使用したときの図、図６はイーゼルに置いて使用したときの図である。符号６の額縁用マットはＥＬシートの面積に合わせ切り、美観と隙間をなくする目的で使用する。
【作業上の利用可能性】
【００１４】  結婚式のウェルカムボード・葬儀の遺影写真として、式に参列する人に対して気持ちを伝える物として利用できる。又、式後には自宅内にても使用できる。
【図面の簡単な説明】
【００１５】
【図１】この考案にかかる結婚式用ウェルカムボード・遺影写真の正面図である。
【図２】図１における斜視図である。
【図３】図１におけるＩＩ−ＩＩ線の断面図である。
【図４】図１におけるＩＩＩ−ＩＩＩ線の断面図である。
【図５】図１を壁などに掛けて使用して時の正面図である。
【図６】図１をイーゼルに置いて使用した時の正面図である。
【符号の説明】
【００１６】  １  ・・・  額縁
２  ・・・  額縁裏板の留め金
３  ・・・  額縁ガラス
４  ・・・  額縁用マット
５  ・・・  ＯＨＰフィルム・写真、イラスト・絵等を印刷した印刷物
６  ・・・  エレクトロルミネッセンスシート（ＥＬシート）
７  ・・・  額縁裏板
８  ・・・  ＥＬシート電源コード
９  ・・・  ＥＬシートインバーター
１０  ・・・  ＥＬシートコンセント
１１  ・・・  壁掛け用ひも
１２  ・・・  イーゼル
【図１】
0003131168.tif 000003
【図２】
0003131168.tif 000004
【図３】
0003131168.tif 000005
【図４】
0003131168.tif 000006
【図５】
0003131168.tif 000007
【図６】
0003131168.tif 000008
【手続補正書】
【提出日】平成19年2月7日(2007.2.7)
【手続補正１】
【補正対象書類名】実用新案登録請求の範囲
【補正対象項目名】全文
【補正方法】変更
【補正の内容】
【実用新案登録請求の範囲】
【請求項１】
光源であるエレクトロルミネッセンスシート（ＥＬシート）表面に歓迎用メッセージと写真、イラストをカラープリンタにて印刷にした透光性シートを合わせて、絵画用額縁内に張設した事を特徴とするウェルカムボード。
【請求項２】
請求項１のウェルカムボードにおいて、絵画用額縁には絵を入れる部分に緩衝材の発泡スチロール板が入っており、これを取り除いたところに請求項１のＥＬシートと、歓迎用メッセージ、写真、画像を印刷した透光性シートを取り替え可能に設置したウェルカムボード。
【請求項３】
請求項１のウェルカムボードにおいては、メッセージと写真を変えた透光性シートの印刷物を取り替えることによって結婚式後は家庭内でも利用できることを特徴とするウェルカムボード。
【請求項４】
光源であるエレクトロルミネッセンスシート表面に透光性シート上に印刷した遺影写真を張設したものを遺影写真用額縁の内側に入れ、エレクトロルミネッセンスシートを連続発光または点滅させる事により、暗い所でも遺影写真の画像が識別出来る事を特徴とするメモリアルボード。